(57)【要約】【課題】電子機器の開口部に挿入した状態であっても前記開口部を平板に密着して取付けることができ、電子機器からの取り外しが容易なコネクタカバーを提供することを目的とする。【解決手段】挿入方向に対し垂直となる平面と、値Ｗ１からなる幅、片側奥行の値Ｔ１の２倍と後述するつまみの奥行の値Ｔ２との和である値Ｔ３からなる全体奥行、値Ｄ１からなる深さで構成する空間を前記平面から窪ませた凹部と、前記凹部の幅の値Ｗ１より小さい値Ｗ２からなる幅、前記凹部の深さの値Ｄ１より小さい値Ｔ２からなる奥行、前記凹部の底面から前記凹部の深さの値Ｄ１より大きく前記凹部の片側奥行の値Ｔ１より小さい値Ｈ２からなる高さで構成し前記凹部の底面中央部に接続し外力を加えない場合には挿入方向に対して逆方向に突出する弾性を有するつまみと、を有する。【選択図】図１
2009266770.tif 000002
【特許請求の範囲】
【請求項１】
挿入方向に対し垂直となる平面と、
値Ｗ１からなる幅、片側奥行の値Ｔ１の２倍と後述するつまみの奥行の値Ｔ２との和である値Ｔ３からなる全体奥行、値Ｄ１からなる深さで構成する空間を前記平面から窪ませた凹部と、
前記凹部の幅の値Ｗ１より小さい値Ｗ２からなる幅、前記凹部の深さの値Ｄ１より小さい値Ｔ２からなる奥行、前記凹部の底面から前記凹部の深さの値Ｄ１より大きく前記凹部の片側奥行の値Ｔ１より小さい値Ｈ２からなる高さで構成し前記凹部の底面中央部に接続し外力を加えない場合には挿入方向に対して逆方向に突出する弾性を有するつまみと、
を有するコネクタカバー。
【発明の詳細な説明】
【技術分野】
【０００１】
本発明は、電子機器のジャック、コネクタ等の開口部を封止するコネクタカバーに関するものである。
【背景技術】
【０００２】
従来、電子機器にはジャックとしての開口部を設けて外部機器との通信を行える様にしている。ここで、開口部を使用しない場合には開口部に塵、液体が入る可能性があるため、開口部にコネクタカバーを挿入することが行われている。
【０００３】
図５は従来のコネクタカバーの形状を示す図である。図５（ａ）は斜視図、図５（ｂ）は平面図、図５（ｃ）は図５（ｂ）のＣ−Ｃ線の断面を正面方向から見た断面図である。
５００はコネクタカバーである。コネクタカバー５００において、
５０１は挿入方向に対し垂直となる平面である。
５０２は弾性を有するつまみである。つまみ５０２の底面は平面５０１の中央部と接続し挿入方向に対して逆方向に突出する。
５０３はコネクタカバーを開口部に挿入した場合のつまみ５０２による突出高である。このつまみ５０２を引っ張ることによりコネクタカバーを電子機器から取り外すことができる。
【０００４】
また、従来のコネクタカバーとして特許文献１に記載されたものも知られている。そのコネクタカバーを図６に示す。これは、コネクタカバーの表面を傷つけることなく取り外すことができる軟質キャップを提供することを目的としたものであり、ケースの所定面に設けた凹部に嵌合する板部と、この板部から突出して凹部に設けた開口部に嵌合する中空の嵌合部と、板部の外周端部に突出するツマミ部とを一体に形成した軟質部材を備え、ケースに嵌合された軟質部材の板部を押すことにより変形してツマミ部がめくれ上がるように構成している。
【特許文献１】特開平１１−２６０４６１号公報
【発明の開示】
【発明が解決しようとする課題】
【０００５】
しかしながら上記の従来の構成では、以下の問題点を有していた。即ち、図５の場合では、図５（ｂ）の真上から力を加えても、つまみ５０１の厚みは突出高５０２以下にはなる可能性はあるが、突出高が無くなることはない。従って、電子機器の開口部に挿入した状態で前記開口部を平板に密着して取付けることが困難であるという問題点を有していた。
【０００６】
また、図６の場合では、コネクタカバーを挿入しても突出高はないため電子機器を平面に取付けることができる。しかしながら、コネクタカバーを電子機器から取り外す場合には、ゴム素材または軟質樹脂でできたコネクタカバーの中央部を指により押圧する。これにより中央部が凹状に変形し、ツマミ部１ｂが浮き上がる。このツマミ部１ｂを把持して取り外す。従って、「押圧」したまま「把持して取り外す」の２個の動作を同時に必要とし、操作が煩雑であるという問題点を有していた。
【０００７】
本発明は上記従来の問題点を解決するもので、電子機器の開口部に挿入した状態であっても前記開口部を平板に密着して取付けることができ、電子機器からの取り外しが容易なコネクタカバーを提供することを目的とする。
【課題を解決するための手段】
【０００８】
この目的を達成するために本発明のコネクタカバーは、挿入方向に対し垂直となる平面と、値Ｗ１からなる幅、片側奥行の値Ｔ１の２倍と後述するつまみの奥行の値Ｔ２との和である値Ｔ３からなる全体奥行、値Ｄ１からなる深さで構成する空間を前記平面から窪ませた凹部と、前記凹部の幅の値Ｗ１より小さい値Ｗ２からなる幅、前記凹部の深さの値Ｄ１より小さい値Ｔ２からなる奥行、前記凹部の底面から前記凹部の深さの値Ｄ１より大きく前記凹部の片側奥行の値Ｔ１より小さい値Ｈ２からなる高さで構成し前記凹部の底面中央部に接続し外力を加えない場合には挿入方向に対して逆方向に突出する弾性を有するつまみと、を備えた構成を有している。
【発明の効果】
【０００９】
以上のように本発明は、つまみに外力が加えられた場合につまみが凹部に収納されることにより平面からの突出をなくすことができるため、電子機器の開口部に挿入した状態であっても前記開口部を平板に密着して取付けることができ、電子機器からの取り外しが容易なコネクタカバーを提供することができるという優れた効果が得られる。
【発明を実施するための最良の形態】
【００１０】
以下、本発明の実施の形態について、図を用いて説明する。
（実施の形態１）
図１は本発明の実施の形態１におけるコネクタカバーの形状を示す図である。図１（ａ）は斜視図、図１（ｂ）は平面図、図１（ｃ）は図１（ｂ）のＣ−Ｃ線の断面を正面方向から見た断面図である。１００はコネクタカバーである。コネクタカバー１００において、１０１は挿入方向に対し垂直となるコネクタカバーの平面である。１０２は平面１０１から所定の空間を窪ませた凹部であり、当該空間は幅１０４、全体奥行１１０、深さ１０５で構成する。
１０３は弾性を有する材料で構成されているつまみである。つまみ１０３の底面は凹部１０２の底面中央部と接続し外力を加えない場合には挿入方向に対して逆方向に突出する。つまみ１０３は幅１０７、奥行１０９、高さ１０８で構成する。
【００１１】
以上のように構成されたコネクタカバーについて、つまみ１０３に外力を加えた場合の様子を図２を用いて説明する。図２は本発明の実施の形態１におけるコネクタカバーのつまみ１０３に外力を加えた場合の形状を示す図である。例えば、電子機器の開口部に挿入した状態のまま電子機器を平板に密着して取付ける場合に発生しうる。真上から外力を加えるとつまみ１０３は右側または左側に倒れる。図２は正面方向から見て右側に倒れた状態を示す。図２（ａ）は斜視図、図２（ｂ）は平面図、図２（ｃ）は図２（ｂ）のＣ−Ｃ線の断面を正面方向から見た断面図である。
つまみ１０３の幅１０７（値Ｗ２）は凹部１０２の幅１０４（値Ｗ１）よりも小さいことが必要である。さもないと、つまみ１０３の底面が凹部１０２の中に入りきれず凹部１０２の底面中央部と接続することができないからである。
【００１２】
図３（ａ）は図１（ｂ）の要部を拡大したものである。図３（ｂ）は図１（ｃ）および図２（ｃ）の要部を拡大したものである。外力を加えない状態において、凹部１０２の深さ１０５（値Ｄ１）はつまみ１０３の高さ１０８（値Ｈ２）よりも小さいことが必要である。さもないと、つまみ１０３は平面１０１より上部に突出しないことになり突出高１２０が得られず、把持が困難になるからである。次に、つまみ１０３に左側から右側方向の外力を加えた状態において、つまみ１０３は凹部１０２の右側部分の中に倒れる。凹部１０２の深さ１０５（値Ｄ１）はつまみ１０３の奥行１０９（値Ｔ２）より大きいことが必要である。さもないと、外力を加えた状態においてつまみ１０３が平面１０１より上部に突出することになり電子機器の開口部にコネクタカバーを挿入した状態で電子機器を平板に密着して取付けることができなくなるからである。以上によりＤ１はＴ２より大きくＨ２より小さいことが必要である。言い換えればＴ２はＤ１より小さく、Ｈ２はＤ１より大きいことが必要である。
【００１３】
凹部１０２の片側奥行１０６（値Ｔ１）は、つまみ１０３が外力の方向により右側部分または左側部分の中に倒れ平面１０１より上部に突出しないためには、値Ｔ１は値Ｈ２より大きいことが必要である。言い換えれば値Ｈ２は値Ｔ１より小さいことが必要である。つまみ１０３に右側から左側方向の外力を加えた状態においては、つまみ１０３は凹部１０２の左側部分の中に倒れる。従って、凹部１０２はつまみ１０３が右側部分または左側部分の何れに倒れても良いようにするために、凹部１０２の全体奥行１１０（値Ｔ３）は値Ｔ１の２倍と値Ｔ２との和となる。
【００１４】
図４は電子機器の開口部にコネクタカバーを挿入した状態を示す斜視図である。
【００１５】
以上のように本実施の形態１によれば、電子機器の開口部に挿入した状態であっても前記開口部を平板に密着して取付けることができ、そして電子機器からの取り外しが容易なコネクタカバーを提供することができる。
【００１６】
なお、以上の説明ではつまみ１０３に真上から外力を加えた場合には右側または左側にのみ倒れるとして説明したが、つまみ１０３の幅１０７（値Ｗ２）が値Ｔ２に比して大きくない場合には４方向の何れにも倒れる可能性がある。この場合には凹部１０２の幅１０４（値Ｗ１）は、凹部１０２の全体奥行１１０と同様にすることが必要である。
【００１７】
また、以上の説明ではつまみ１０３について弾性を有する材料で構成するとしたが、コネクタカバー１００の他の部分、例えば凹部１０２、平面１０１、さらにコネクタカバー１００の全体について弾性を有する材料で構成するとしてもよい。これにより端子面の防水効果を得ることができ、液体等の浸入による誤動作・発火発煙等を防止できる。
【産業上の利用可能性】
【００１８】
本発明のコネクタカバーは、つまみに外力が加えられた場合につまみが凹部に収納されることにより平面からの突出をなくすことができるため、電子機器の開口部に挿入した状態であっても前記開口部を平板に密着して取付けることができ、電子機器からの取り外しが容易であるという優れた効果を有しているため、電子機器のジャック、コネクタ等の開口部を封止するコネクタカバー等において有用である。
【図面の簡単な説明】
【００１９】
【図１】本発明の実施の形態１におけるコネクタカバーの形状を示す図
【図２】本発明の実施の形態１におけるコネクタカバーのつまみ１０３に外力を加えた場合の形状を示す図
【図３】本発明の実施の形態１におけるコネクタカバーの要部拡大図
【図４】本発明の実施の形態１におけるコネクタカバーの実装状態を示す図
【図５】従来のコネクタカバーの形状を示す図
【図６】従来のコネクタカバーの形状を示す図
【符号の説明】
【００２０】
１００    コネクタカバー
１０１    コネクタカバーの平面
１０２    凹部
１０３    つまみ
１０４    凹部の幅
１０５    凹部の深さ
１０６    凹部の片側奥行
１０７    つまみの幅
１０８    つまみの高さ
１０９    つまみの奥行
１１０    凹部の全体奥行
１２０    突出高
【図１】
2009266770.tif 000003
【図２】
2009266770.tif 000004
【図３】
2009266770.tif 000005
【図４】
2009266770.tif 000006
【図５】
2009266770.tif 000007
【図６】
2009266770.tif 000008